(57)【要約】      （修正有）【課題】灯油タンク（ポリタンク）の運搬に用いるキャリーに関するもので、運搬に際し、大きな力を必要とせず、かつ、収納も容易にできるようにする。【解決手段】直立フレーム４と、この直立フレームに向けて折り畳み可能な積載フレーム５とからなり、該積載フレームの前端の両側に軸着した大径の運搬車輪６と、該積載フレームの下面に固定した複数の小径の支持車輪７を具備することにより、運搬時及び収納時のそれぞれに応じて、大径の運搬車輪か複数の小径の支持車輪かを任意に選択できるように構成にする。【選択図】図１
0003119525.tif 000002
【実用新案登録請求の範囲】
【請求項１】
直立フレームと、この直立フレームに向けて折り畳み可能な積載フレームとからなり、該積載フレームの前端の両側に軸着した大径の運搬車輪と、該積載フレームの下面に固定した複数の小径の支持車輪を具備してなるポリタンク用キャリー。
【請求項２】
直立フレームをハンドル部と本体部とからなり、該ハンドル部が本体部に軸支され、該ハンドル部が回動自在になるとともに、同じくハンドル部若しくは本体部のどちらか一方に軸支したストッパーを介して回動を規制してなる請求項１記載のポリタンク用キャリー。
【考案の詳細な説明】
【技術分野】
【０００１】
本考案は、家庭で石油ストーブ等の燃料の保管に用いられる灯油タンク（ポリタンク）の運搬に用いるポリタンク用キャリーに関するものである。
【背景技術】
【０００２】
従来から家庭で石油ストーブ用の燃料灯油の保管用として、容量１８リットル入り灯油タンク（ポリタンクと通称される合成樹脂製タンク）が一般に多く用いられている。
【０００３】
該灯油タンクはガソリンスタンド等の購入場所から家庭までの運搬に使用されているものであるが、該灯油タンクは、上部に取っ手並びに蓋付きの注排出口を備え、全体が縦扁平な直方体容器である為、自家用車等で運搬する場合には、直ぐに倒伏してしまう虞があり、車両の荷台やトランク内を汚してしまうことがあった。
【０００４】
その為、この種のトレイとしては例えば、図に示したポリタンク用トレイが知られている。このポリタンク用トレイは、底面長方形の四角錘台の上面に凹部が開口する形状としながら、該凹部を形成する周壁を下方に向かい拡開する末広がり形状としており、該凹部内に灯油タンクを載置収容し、自家用車等で運搬していた。
【特許文献１】特開平８−１１８９１公報
【考案の開示】
【考案が解決しようとする課題】
【０００５】
しかしながら、家庭における保管場所迄の経路を考えると屋外であることが多く、車両の荷台やトランク内から、保管場所に移す場合には、該灯油タンクの取っ手を掴み、持ち上げて運搬しているのが通例であり、多量の灯油が入っている状態では、相当に重いため、力の弱い婦女子には困難を伴うものであった。
【０００６】
また、車両の荷台やトランク内から、灯油タンクを台車に載せて運搬する際、地表の路面が悪路等により、段差がある場合には、操作性における阻害要因となる為、灯油タンクを一旦台車から降ろして、段差を乗り越えさせてから再び台車に載せたり、或いは台車ごと下から持ち上げて段差を乗り越えさせなければならず、殊に灯油タンクに内容物が多量に入っている場合には、その運搬になお依然として大きな力を要し面倒であるという難点があった。
【０００７】
さらに、保管場所においては、所定の位置に灯油タンクを収納する際、通常、該保管場所の隅に空けた僅かな隙間に収納するのが一般的であり、台車に載せたまま収納できるような収納スペースではなかった。
【０００８】
その為、台車から灯油タンクを降ろし、手押しで該隙間に方向性を調整しながら収納する等、最終的にも人力のみの大きな力を要し、依然婦女子等においては困難なものであった。
【課題を解決するための手段】
【０００９】
前記課題を解決するため請求項１記載の考案にあっては、直立フレームと、この直立フレームに向けて折り畳み可能な積載フレームとからなり、該積載フレームの前端の両側に軸着した大径の運搬車輪と、該積載フレームの下面に固定した複数の小径の支持車輪を具備してなるポリタンク用キャリー。
【００１０】
前記課題を解決するため請求項２記載の考案にあっては、直立フレームをハンドル部と本体部とからなり、該ハンドル部が本体部に軸支され、該ハンドル部が回動自在になるとともに、同じくハンドル部若しくは本体部のどちらか一方に軸支したストッパーを介して回動を規制してなる請求項１記載のポリタンク用キャリー。
【考案の効果】
【００１１】
請求項１に記載の考案によれば、積載フレームを水平に地上に置き、該積載フレーム上に灯油タンクを載せ、次に当該キャリーを動かすには、直立フレームのハンドル部を手前に傾けると、積載フレームの前端の両側に軸着した大径の運搬車輪が、地表に着き、更に傾けると、積載フレームの下面に固定した複数の小径の支持車輪が地表から離れて、該大径の運搬車輪だけで該灯油タンクの重さを支えた状態になる。
【００１２】
この状態で、該ハンドル部を持って引っ張れば、該大径の運搬車輪が回転して、極めて軽く該灯油タンクを運搬することができ、路面に段差がある場合でも、極めて容易に段差を乗り越えることができる。  
また、路面が悪路等の場合には、その路面状況に応じ、大径の運搬車輪の左右どちらか一方を支点として、回転させれば、運搬の方向を変えることも極めて容易にできる。
【００１３】
請求項２に記載の考案によれば、保管場所の収納スペースに収納する際、隅の僅かな収納スペースであって、該キャリーの縦方向の高さが高すぎて、収納できない場合には、その場で該積載フレームのハンドル部を９０度回転させて、ハンドル部から手を離すと該積載フレームが地表に対し水平になり、該大径の運搬車輪が地表から離れ、該小径の支持車輪が地表に着く。
【００１４】
その際、直立フレームに設けたストッパーを外し、該ハンドル部を折り畳めば、該キャリーの縦方向の高さが該灯油タンクと同等のコンパクトな高さとなる。そして、そのまま灯油タンクを押せば、該灯油タンクは該積載フレームの下面に固定した複数の小径の支持車輪によって、大きな力を必要とせずに運搬可能となる。
【００１５】
また、該小径の支持車輪はそれぞれ独立に回転するので、限られた収納スペース内での方向を種々変える等の微調整も極めて容易に可能となり、灯油タンクを収納スペースに収納する為に、その都度灯油タンクを該積載フレームから降ろす等の煩雑な労力を省くことができる。
【考案を実施するための最良の形態】
【００１６】
以下、本考案の一実施形態を図に従って説明する。
図１は本考案のポリタンク用キャリー１を正面側より示した図であり、図１はハンドル部を本体部に対し垂直状態になる迄、回動させた後、本体部に軸支したストッパーにより、該ハンドル部と本体部とが直立フレームを形成した状態を示している。図２は本考案のポリタンク用キャリー１の大径の運搬車輪によって灯油タンクを運搬している状態を示す。図３は本考案のポリタンク用キャリー１の小径の支持車輪よって灯油タンクを運搬している状態を示す。図４は本考案のポリタンク用キャリー１にトレイを載置した状態を示している。図５は本考案のポリタンク用キャリー１を平面側から示した図である。
【００１７】
図１において示す通り、ポリタンク用キャリー１は、ハンドル部２と本体部３とからなる直立フレーム４と、この直立フレーム４に向けて折り畳み可能な積載フレーム５とからなり、該積載フレーム５の前端の両側に軸着した大径の運搬車輪６と、該積載フレーム５の下面に固定した複数の小径の支持車輪７を具備してなる。
【００１８】
直立フレーム４はハンドル部２を本体部３に対し垂直状態になる迄、回動させた後、本体部３に軸支したストッパー８により、構成している。
【００１９】
積載フレーム５の前端の両側に軸着した大径の運搬車輪６は、回転軸９を水平にして軸着されており、両車輪６は同時に回転する。また、積載フレーム５の下面に固定した複数の小径の支持車輪７は、四隅近傍にそれぞれ１個、合計４個を配列している。該支持車輪７は、それぞれ独立に回転するもので、外力に順応して自動的に回転方向を変えることができる。
【００２０】
次に、大径の運搬車輪６の大きさは、複数の小径の支持車輪７を下面に固定した積載フレーム５を水平に地表９に置いたときに、大径の運搬車輪６の外周が地表９から必ず離れるように、大径の運搬車輪６の大きさを定める。
【００２１】
本考案のポリタンク用キャリー１は上記の構成であり、次のように使用する。
図３に示すように、まず、積載フレーム５を水平に地上に置き、積載フレーム５上に灯油タンク１０を載せる。この時、図３においては、既にハンドル部２を本体部３に対し垂直状態になる迄、回動させた後、本体部３に軸支したストッパー８により、該ハンドル部２と本体部３とが直立フレーム４を形成した状態になっている。また、灯油タンク１０には多量の灯油が入っている。
【００２２】
ポリタンク用キャリー１を動かすには、ハンドル部２を進行方向に傾けると大径の運搬車輪６が地表９に着き、更に傾けると複数の小径の支持車輪７が地表９から離れて、図２に示したように、大径の運搬車輪６だけで灯油タンク１０の重さを支えた状態になる。
【００２３】
この状態でハンドル部２を手前に引いて前進すれば、大径の運搬車輪６が回転して、極めて軽く灯油タンク１０を運搬することができる。また、大径の運搬車輪６の左右どちらか一方を支点として、回転させれば、運搬の方向を変えることも極めて容易にできる。
【００２４】
従って、路面に段差がある場合でも路面が悪路等の場合であっても、極めて容易に段差を乗り越えることができるし、また、その路面状況に応じ、運搬の方向を変えることも極めて容易にできる。
【００２５】
次にポリタンク用キャリー１を上記の使用態様（図２に図示）により、保管場所まで運搬した際、その場でハンドル部２から手を離すと、灯油タンク１０の重さで積載フレーム５が水平になり、大径の運搬車輪６が地表９から離れるので、そのまま灯油タンク１０を押せば、積載フレーム５は複数の小径の支持車輪７に乗って、加えられた外力に応じ、小径の支持車輪７はそれぞれ独立に回転するので、限られた収納スペース内での方向を種々変える等の微調整も極めて容易に可能となり、保管場所の所望の位置に容易に収めることができる。
【図面の簡単な説明】
【００２６】
【図１】本考案のポリタンク用キャリー１を正面側より示した図である。
【図２】本考案のポリタンク用キャリー１の大径の運搬車輪によって灯油タンクを運搬している状態を示す図である。
【図３】本考案のポリタンク用キャリー１の小径の支持車輪よって灯油タンクを運搬している状態を示す図である。
【図４】本考案のポリタンク用キャリー１にトレイを載置した状態を示す図である。
【図５】本考案のポリタンク用キャリー１を平面側から示す図である。
【符号の説明】
【００２７】
１    ポリタンク用キャリー
２    ハンドル部
３    本体部
４    直立フレーム
５    積載フレーム
６    大径の運搬車輪
７    小径の支持車輪
８    ストッパー
９    地表
１０  灯油タンク
【図１】
0003119525.tif 000003
【図２】
0003119525.tif 000004
【図３】
0003119525.tif 000005
【図４】
0003119525.tif 000006
【図５】
0003119525.tif 000007